(57)【特許請求の範囲】
【請求項１】
ユーザ端末機（ＵＥ）が最小化ドライブテスト(Minimization of Drive Test:ＭＤＴ)測定情報を基地局に提供する方法であって、
ログされたＭＤＴ測定情報を伝達するＵＥ情報要求メッセージを受信するステップと、
前記ログされたＭＤＴ測定情報の全体サイズが単一パケットデータコンバージョンスプロトコル（ＰＤＣＨ）サービスデータユニット（ＳＤＵ）の全体サイズより大きいか否かを判別するステップと、
前記ログされたＭＤＴ測定情報の全体サイズが前記単一ＰＤＣＰ ＳＤＵの全体サイズより大きい場合、前記ログされたＭＤＴ測定情報が前記ＵＥに有用であることを指示するＭＤＴログフィールドを含むＵＥ情報応答メッセージを前記基地局に送信するステップと、を含み、
前記ＭＤＴログフィールドは“ＴＲＵＥ”で設定されることを特徴とする方法。
【請求項２】
前記ログされたＭＤＴ測定情報の全体サイズが前記単一ＰＤＣＰ ＳＤＵの全体サイズより大きくない場合、前記ＵＥ情報応答メッセージを使用して有用なＭＤＴ測定情報が存在しないことを指示するステップをさらに含むことを特徴とする請求項１に記載の方法。
【請求項３】
前記ＭＤＴ測定情報の全てが前記基地局に伝達されるまで前記受信乃至送信するステッ
プを反復するステップをさらに含むことを特徴とする請求項１に記載の方法。
【請求項４】
前記ＵＥ情報応答メッセージを使用して有用なＭＤＴ測定情報が存在しないことを指示するステップは、
前記ＵＥ情報応答メッセージに含まれる前記ＭＤＴログフィールドを“ＦＡＬＳＥ”で設定するステップを含むことを特徴とする請求項２に記載の方法。
【請求項５】
最小化ドライブテスト(Minimization of Drive Test:ＭＤＴ)測定情報を基地局に提供
するユーザ端末機（ＵＥ）であって、
プロセッサと、
前記プロセッサに連結するメモリと、を含み、
前記メモリは、
ログされたＭＤＴ測定情報を伝達するＵＥ情報要求メッセージを受信し、
前記ログされたＭＤＴ測定情報の全体サイズが単一パケットデータコンバージョンスプロトコル（ＰＤＣＨ）サービスデータユニット（ＳＤＵ）の全体サイズより大きいか否かを判別し、
前記ログされたＭＤＴ測定情報の全体サイズが前記単一ＰＤＣＰ ＳＤＵの全体サイズより大きい場合、前記ログされたＭＤＴ測定情報が前記ＵＥに有用であることを指示するＭＤＴログフィールドを含むＵＥ情報応答メッセージを前記基地局に送信し、
前記ＭＤＴログフィールドは“ＴＲＵＥ”で設定されることを特徴とするＵＥ。
【請求項６】
前記ＭＤＴ測定情報の全てが前記基地局に伝達されるまで前記受信乃至送信する動作を反復するＭＤＴログモジュール(ＭＤＴ log module）をさらに含むことを特徴とする請求項５に記載のＵＥ。
【請求項７】
前記ログされたＭＤＴ測定情報の全体サイズが前記単一ＰＤＣＰ ＳＤＵの全体サイズより大きくない場合、前記ＵＥ情報応答メッセージを使用して有用なＭＤＴ測定情報が存在しないことを指示することを特徴とする請求項６に記載のＵＥ。
【請求項８】
前記ＭＤＴログモジュールは前記ＵＥ情報応答メッセージに含まれる前記ＭＤＴログフィールドを“ＦＡＬＳＥ”で設定することを特徴
とする請求項７に記載のＵＥ。
【請求項９】
ユーザ端末機が最小化ドライブテスト(Minimization of Drive Test:ＭＤＴ)測定情報を基地局に提供する方法であって、
無線ネットワーク環境でＭＤＴ測定情報の有用性と前記ＭＤＴ測定情報のサイズを基地局に指示するステップと、
前記指示に対する応答で前記ＭＤＴ測定情報を伝達するＵＥ情報要求メッセージを受信するステップと、
前記ＭＤＴ測定情報の少なくとも一部を含むＵＥ情報応答メッセージを前記基地局に送信するステップと、
前記ＭＤＴ測定情報のサイズに基づいて決定される回数分、前記受信及び送信するステップを反復するステップと、を含むことを特徴とする方法。
【請求項１０】
前記ＭＤＴ測定情報の有用性と前記ＭＤＴ測定情報のサイズを基地局に指示するステップは、
前記ＵＥに有用な前記ＭＤＴ測定情報のサイズを決定するステップと、
前記決定に基づいて全ての前記ＭＤＴ測定情報を前記基地局に伝達するために要求されるパケットデータコンバージェンスプロトコル(ＰＤＣＰ)サービスデータユニット(ＳＤＵ)の個数を計算するステップと、
前記ＭＤＴ測定情報の有用性を指示する間に、前記ＭＤＴ測定情報の全てを伝達するために要求される前記ＰＤＣＰ ＳＤＵの個数を指示するステップと、を含むことを特徴とする請求項９に記載の方法。
【請求項１１】
最小化ドライブテスト(Minimization of Drive Test:ＭＤＴ)測定情報を基地局に提供するユーザ端末機（ＵＥ）であって、
プロセッサと、
前記プロセッサに連結するメモリと、を含み、
前記メモリは、
無線ネットワーク環境でＭＤＴ測定情報の有用性と前記ＭＤＴ測定情報のサイズを前記基地局に指示し、
前記指示に対する応答で前記ＭＤＴ測定情報を伝達するＵＥ情報要求メッセージを受信し、
前記ＭＤＴ測定情報の少なくとも一部を含むＵＥ情報応答メッセージを前記基地局に送信し、
前記ＭＤＴ測定情報のサイズに基づいて決定される回数分、前記受信及び送信する動作を反復するＭＤＴログモジュール(ＭＤＴ log module）を含むことを特徴とするＵＥ。
【請求項１２】
前記ＭＤＴ測定情報の有用性と前記ＭＤＴ測定情報のサイズを基地局に指示する場合、前記ＭＤＴログモジュールは、
全ての前記ＭＤＴ測定情報のサイズを決定し、
前記決定に基づいて前記基地局に前記全てのＭＤＴ測定情報を伝達するために要求されるＰＤＣＰ ＳＤＵの個数を計算し、
前記ＭＤＴ測定情報の有用性を指示する間に、前記ＭＤＴ測定情報の全てを伝達するために要求されるＰＤＣＰ ＳＤＵの個数を指示することを特徴とする請求項１１に記載のＵＥ。
【発明の詳細な説明】
【技術分野】
【０００１】
本発明は、無線通信技術分野に関し、特に最小化ドライブテスト(Minimization Drive Test:ＭＤＴ)測定情報を基地局に提供することに関する。
【背景技術】
【０００２】
最小化ドライブテスト(ＭＤＴ）は、無線ネットワークでアクティブ(active)ユーザ端末機(user equipment)から測定情報及び位置情報を復元(retrieve)することにより、ドライブテスト(drive test)試みを減少させるために使用される。
【０００３】
一般的に、基地局はＭＤＴサーバにより共有される構成に基づいてＭＤＴキャンペーン(campaign)に対するＵＥを構成する。したがって、各ＵＥは、無線リソース接続(radio resource connection:ＲＲＣ)アイドルモード(idle mode)及びコネクトモード(connected mode）の両方で該当ＭＤＴを遂行し、該当ＵＥはＲＲＣコネクトモードに存在する間に受信される該当ＭＤＴ構成に基づいて該当アイドルモードで該当ＭＤＴデータを周期的にログする。該当ＭＤＴログデータは、該当無線測定と関連する有用な位置情報及び時間情報と共に、該当ＵＥにより認知された無線状態測定情報を含む。該当ＵＥに対して有用な位置情報は、全世界衛星位置システム(Global Navigation Satellite System)情報あるいは隣接セルの無線周波数フィンガープリント（fingerprint）情報であり得る。
【０００４】
例えば、３世代パートナーシッププロジェクト(third generation partnership project:３ＧＰＰ)ロングタームエボリューション(long term evolution:ＬＴＥ)において、ＲＲＣコネクトモードで、該当ＵＥは直ちに該当基地局に該当ＭＤＴログデータを報告する。これとは異なり、アイドルモードで、該当ＵＥは該当受信されたＭＤＴ構成で特定されたそのＤＲＸサイクル(cycle)の形態で周期性を持ってＭＤＴデータをログする。理想的に、ＭＤＴロギング(logging)のために構成されるＵＥは、該当コネクトモードへの遷移の間に、該当基地局にＭＤＴログデータの存在を指示しなければならない。その後、該当基地局は上記アイドルモードの間に、ＲＲＣシグナルリング(signaling)、すなわちＬＴＥで、情報伝達手順を用いて該当ＵＥによりバッファーリングされた該当ＭＤＴログデータを復元し、ＵＥは該当ＭＤＴログデータを該当基地局に伝達し、以後にはネットワーク最適化のために該当ＭＤＴサーバに伝達する。
【０００５】
ＵＥ情報は、アップリンク応答メッセージ(uplink response message)がＤＬ要求メッセージを使用して指示されたトランザクションＩＤ(transaction ID)と同じトランザクションＩＤを使用する要求応答手順(request response procedure)である。それによって、該当ＵＥはＵＬ応答メッセージを使用してパケットデータコンバージェンスプロトコル(packet data convergence protocol:ＰＤＣＰ)サービスデータユニット(service data unit:ＳＤＵ）のサイズと同じＭＤＴログデータを伝達することが許可される。単一ＲＲＣメッセージの伝達のためのＬＴＥでの該当ＰＤＣＰ ＳＤＵのサイズは８１８８バイト(byte)である。
【発明の概要】
【発明が解決しようとする課題】
【０００６】
上記アイドルステート(idle state)あるいはコネクトステート(connected state)の間にバッファーリングされる該当ＭＤＴログデータのサイズは、８１８８バイトより大きいことがある。また、該当基地局は該当ＵＥに対して有用なＭＤＴログデータのサイズを認識することができない。結果的に、該当基地局はＰＤＣＰサイズ制限によりＵＥの上記アイドルステートあるいはコネクトステートの間にバッファーリングされる上記全体ＭＤＴログデータを成功的に復元することに失敗することがある。
【課題を解決するための手段】
【０００７】
本発明の実施形態の一態様によれば、最小化ドライブテスト(Minimization Drive Test:ＭＤＴ)測定情報を基地局に提供する方法を提供する。上記方法は、無線ネットワーク環境でユーザ端末機(user equipment:ＵＥ)によりログされたＭＤＴ測定情報の有用性を指示するステップと、上記有用性指示に対する応答で上記ＭＤＴ測定情報を伝達する情報要求メッセージを受信するステップと、上記ＭＤＴ測定情報の少なくとも一部を含み、ＭＤＴ測定情報のどんな部分でも上記ユーザ端末機に残っているか否かを指示する情報応答メッセージを上記基地局に送信するステップと、上記全体ＭＤＴ情報が上記基地局に伝達されるまで上記受信及び送信するステップを反復するステップと、を含むことを特徴とする。
【０００８】
本発明の他の実施形態の一態様によれば、装置を提供する。上記装置は、プロセッサと、上記プロセッサに連結するメモリと、を含み、上記メモリは、無線ネットワーク環境でログされた最小化ドライブテスト(Minimization Drive Test:ＭＤＴ)測定情報の有用性を基地局に指示し、上記指示に対する応答で上記ＭＤＴ測定情報を伝達する情報要求メッセージを受信し、上記ＭＤＴ測定情報の少なくとも一部を含む情報応答メッセージを上記基地局に送信し、上記全体ＭＤＴ測定情報が上記基地局に伝達されるまで上記受信及び送信するステップを反復するＭＤＴログモジュール(ＭＤＴ log module）を含み、上記応答メッセージは、ＭＤＴ測定情報の残り部分の有用性を指示することを特徴とする。
【０００９】
本発明のさらに他の実施形態の一態様によれば、最小化ドライブテスト(Minimization Drive Test:ＭＤＴ)測定情報を基地局に提供する方法を提供する。上記方法は、無線ネットワーク環境でＭＤＴ測定情報の有用性と上記ＭＤＴ測定情報のサイズを基地局に指示するステップと、上記指示に対する応答で上記ＭＤＴ測定情報を伝達する情報要求メッセージを受信するステップと、  上記ＭＤＴ測定情報の少なくとも一部を含む情報応答メッセージを上記基地局に送信するステップと、上記全体ＭＤＴ測定情報が上記基地局に伝達されるまで上記受信及び送信するステップを反復するステップと、を含むことを特徴とする。
【００１０】
本発明のまたさらに他の実施形態の一態様によれば、装置を提供する。上記装置は、  プロセッサと、上記プロセッサに連結するメモリと、を含み、上記メモリは、無線ネットワーク環境でＭＤＴ測定情報の有用性と上記ＭＤＴ測定情報のサイズを基地局に指示し、上記指示に対する応答で上記ＭＤＴ測定情報を伝達する情報要求メッセージを受信し、上記ＭＤＴ測定情報の少なくとも一部を含む情報応答メッセージを上記基地局に送信し、上記全体ＭＤＴ測定情報が上記基地局に伝達されるまで上記受信及び送信するステップを反復するＭＤＴログモジュール(ＭＤＴ log module）を含むことを特徴とする。
【図面の簡単な説明】
【００１１】
【図１】一実施形態による、最小化ドライブテスト(ＭＤＴ)測定情報を基地局に提供することができる無線通信システムのブロックダイアグラムを示している図である。
【図２】一実施形態による、ＭＤＴ測定情報を基地局に提供する望ましい方法を示しているプロセスフローチャートである。
【図３】他の実施形態による、ＭＤＴ測定情報を基地局に提供する望ましい方法を示しているプロセスフローチャートである。
【図４】もう一つの実施形態によるＭＤＴ測定情報を基地局に提供する望ましい方法を示しているプロセスフローチャートである。
【図５】本発明の実施形態を具現する多様なコンポーネントを示したユーザ端末機のブロックダイアグラムを示している図である。
【発明を実施するための形態】
【００１２】
本発明は、無線通信環境で最小化ドライブテスト(minimization of drive test:ＭＤＴ)測定情報を基地局に提供する方法及びシステムを提供する。
【００１３】
以下、本発明の望ましい実施形態を添付の図面を参照して詳細に説明する。下記の説明において、同一の構成要素に対してはできるだけ同一の参照符号及び参照番号を付して説明する。次の説明において、具体的な構成及び構成要素のような特定詳細は、ただ本発明の実施形態の全般的な理解を助けるために提供されるだけである。したがって、本発明の範囲及び趣旨を逸脱することなく、以下に説明される本発明の様々な変形及び変更が可能であることは、当該技術分野における通常の知識を持つ者には明らかである。なお、公知の機能又は構成に関する具体的な説明は、明瞭性と簡潔性のために省略する。
【００１４】
図１は、一実施形態による、ＭＤＴ測定情報を基地局(base station)に提供することができる無線通信システム１００のブロックダイアグラムを示している図である。図１で、無線通信システム１００は、基地局１０２と、ネットワーク１０６(例えば、ロングタームエボリューション(long term evolution:ＬＴＥ)基盤ネットワーク)を通して基地局１０２に連結するユーザ端末機(ＵＥ)１０４と、を含む。
【００１５】
ＵＥ１０４は、完全なＭＤＴ測定情報を基地局１０２に提供するＭＤＴログモジュール(module)１０８を含む。例えば、該当ＭＤＴ測定情報は、位置情報及びタイミング情報と関連する無線測定を含む。一実施形態で、ＭＤＴログモジュール１０８は、図２で具体的に示しているように、該当ＭＤＴ測定情報の有用性を基地局１０２に指示する間にＭＤＴ測定情報のサイズを通信する。他の実施形態で、ＭＤＴログモジュール１０８は、図３に具体的に示しているように、該当ＭＤＴ測定情報の一部を伝達する間に、残余(leftover)ＭＤＴ測定情報の有用性を通信する。もう一つの実施形態で、ＭＤＴログモジュール１０８は、図４に具体的に示しているように、該当完全なＭＤＴ測定情報が基地局１０２に伝達され、ＵＥ１０２にこれ以上の有用なＭＤＴ情報が存在しない場合、該当ＭＤＴ測定情報が存在しないことを指示する。
【００１６】
図２は、一実施形態による、ＭＤＴ測定情報を基地局１０２に提供する望ましい方法を示しているプロセスフローチャート２００を示している図である。ステップ２０２で、ＵＥ１０４のアイドルモードの間に、ＵＥ１０４でＭＤＴが遂行され、ＭＤＴ測定情報がログされる。ステップ２０４で、ＵＥ１０４に対するＭＤＴ測定情報の有用性は基地局１０２に指示される。該当ＭＤＴ測定情報の有用性は、ＵＥ１０４が上記アイドルモードから上記コネクトモードに遷移する場合に指示される。該当ＭＤＴ測定情報の有用性の指示は、接続成立／再成立(connection establishment／re-establishment)手順あるいはハンドオーバ(handover)手順の間に、無線リソース接続(ＲＲＣ)セットアップ完了メッセージ(ＲＲＣ setup complete message)、あるいは無線アクセス技術に対して特定される他のメッセージを使用して送信される。
【００１７】
上記指示に基づいて、ＵＥ情報伝達手順は該当基地局により開始される。ステップ２０６で、該当ＭＤＴ測定情報を伝達する情報要求メッセージ(information request message)(例えば、ＵＥ情報要求メッセージ)が該当基地局から受信される。ステップ２０８で、ＵＥ１０４でログされた該当ＭＤＴ測定情報のサイズが単一パケットデータコンバージェンスプロトコル(ＰＤＣＰ)サービスデータユニット(ＳＤＵ）の全体サイズより大きいか否かが決定される。ＵＥ１０４でログされた該当ＭＤＴ測定情報のサイズが上記単一ＰＤＣＰ ＳＤＵの全体サイズより大きい場合、ステップ２１０で、該当ＭＤＴ測定情報の一部を含む情報応答メッセージ(information response message)(例えば、ＵＥ情報応答メッセージ)が基地局１０２に送信され、該当情報応答メッセージはＵＥ１０４に対する残余ＭＤＴ測定情報の存在を示す。例えば、該当情報応答メッセージは、該当情報応答メッセージが該当ＭＤＴ測定情報の一部を含み、残りのＭＤＴ測定情報がＵＥ１０４に有用であることを指示するＭＤＴログフィールド(ＭＤＴ log field)を含む。該当ＭＤＴログフィールドは、１ビット、ブーリアン(Boolean)フィールドあるいは他のどんな形態の情報エレメント(information element)であり得る。他の望ましい実施形態で、該当ＭＤＴログフィールドは、該当ＭＤＴ測定情報の一部がＵＥ１０４に残っている場合、“ＴＲＵＥ”で設定される。ステップ２１０で、上記プロセスはステップ２０６に戻って、ステップ２０６乃至２１０は、該当全体ＭＤＴ測定情報が基地局１０２に伝達されるまで反復される。
【００１８】
ＵＥ１０４でログされた該当ＭＤＴ測定情報のサイズが単一ＰＤＣＰ ＳＤＵの全体サイズより大きくない場合、ステップ２１２で、該当ＭＤＴ測定情報の一部を含む情報応答メッセージが基地局１０２に送信され、該当情報応答メッセージはＵＥ１０４にこれ以上のＭＤＴ測定情報が存在しないことを指示する。例えば、該当情報応答メッセージは、該当情報応答メッセージが該当全体ＭＤＴ測定情報を含み、ＵＥ１０４にこれ以上の有用なＭＤＴ測定情報が存在しないことを指示するＭＤＴログフィールドを含む。他の望ましい具現で、該当ＭＤＴログフィールドは、ＵＥ１０４にＭＤＴ測定情報が残っていない場合、“ＦＡＬＳＥ”で設定される。
【００１９】
図３は、他の実施形態による、ＭＤＴ測定情報を基地局１０２に提供する望ましい方法を示しているプロセスフローチャート３００を示している図である。ステップ３０２で、ＵＥ１０４の上記アイドルモードの間にＵＥ１０４でＭＤＴが遂行され、ＭＤＴ測定情報がログされる。ステップ３０４で、ＵＥ１０４に対する該当ＭＤＴ測定情報の有用性及び該当ＭＤＴ測定情報を伝達するために必要となるＰＤＣＰ ＳＤＵの個数が基地局１０２に指示される。該当ＭＤＴ測定情報の有用性は、ＵＥ１０４が上記アイドルモードから上記コネクトモードに遷移する場合に指示される。該当ＭＤＴ測定情報の有用性の指示は、接続成立／再成立手順あるいはハンドオーバ手順の間に、無線リソース接続(ＲＲＣ)セットアップ完了メッセージ、あるいは無線アクセス技術に対して特定される他のメッセージを使用して送信される。
【００２０】
ＵＥ１０４が上記コネクトモードに遷移する場合、ＵＥ１０４は、上記アイドルモードの間にログされた該当ＭＤＴ測定情報の全体サイズを決定する。上記全体サイズに基づいて、ＵＥ１０４は、該当全体ＭＤＴ測定情報を基地局１０２に伝達するために必要なＰＤＣＰ ＳＤＵの個数を決定する。言い換えれば、ＵＥ１０４は、該当全体ＭＤＴ測定情報を伝達するために基地局１０２により反復される必要があるＵＥ情報伝達手順の回数を決定する。したがって、基地局１０２は該当ＭＤＴ測定情報を復元するために必要となるＵＥ情報伝達手順の回数を知るようになる。また、基地局１０２は、ＵＥのアイドルモードバッファー格納能力(idle mode buffer storage capacity)を知っており、したがって、基地局１０２はＭＤＴ測定情報を抽出する否か、あるいはＵＥ１０４が追加的なロギング(logging）を遂行するか否かを決定することができる。必要となる手順交換回数の事前認識は、ＵＥ１０４でログされたＭＤＴ測定情報の復元をスケジュールリングすることを補助することができる。
【００２１】
ステップ３０６で、該当ＭＤＴ測定情報を伝達する情報要求メッセージが基地局１０２から受信される。ステップ３０８で、該当ＭＤＴ測定情報の一部を含む情報応答メッセージは基地局１０２に送信される。ステップ３０８で、上記プロセスはステップ３０６に戻って、ステップ３０６乃至３０８は、該当全体ＭＤＴ測定情報が基地局１０２に伝達されるまで反復される。
【００２２】
図４は、もう一つの実施形態による、ＭＤＴ測定情報を基地局１０２に提供する望ましい方法を示しているプロセスフローチャート４００を示している図である。ステップ４０２で、ＵＥ１０４の上記アイドルモードの間に、ＵＥ１０４でＭＤＴが遂行され、ＭＤＴ測定情報がログされる。ステップ４０４で、ＵＥ１０４に対する該当ＭＤＴ測定情報の有用性は基地局１０２に指示される。該当ＭＤＴ測定情報の有用性の指示は、接続成立／再成立手順あるいはハンドオーバ手順の間に、無線リソース接続(ＲＲＣ)セットアップ完了メッセージ、あるいは無線アクセス技術に対して特定される他のメッセージを使用して送信される。
【００２３】
ステップ４０６で、該当ＭＤＴ測定情報を伝達する情報要求メッセージが基地局１０２から受信される。ステップ４０８で、一部あるいは全体ＭＤＴ測定情報を含む情報応答メッセージが基地局１０２に送信される。ステップ４０８で、上記プロセスはステップ４０６に戻って、ステップ４０６乃至４０８は、該当全体ＭＤＴ測定情報が基地局１０２に伝達されるまで反復される。基地局１０２はＵＥ１０４がいずれのＭＤＴ測定情報も有していない情報応答を送信するまで該当情報要求を送信する。上記情報応答に該当ＭＤＴ測定情報が存在しない場合、基地局１０２はＵＥ１０４がこれ以上伝達するＭＤＴ測定情報を有していないと理解する。
【００２４】
図５は、本発明の実施形態を具現する多様なコンポーネント(component)を示すＵＥ１０４のブロックダイアグラムを示している図である。図５で、ＵＥ１０４は、プロセッサ５０２と、メモリ５０４と、読み取り専用メモリ(Read Only memory:ＲＯＭ)５０６と、送受信機５０８と、バス(bus)５１２と、通信インターフェース(communication interface)５１０と、ディスプレイ(display)５１４と、入力デバイス(input device)５１６と、カーソル制御(cursor control)５１８と、を含む。
【００２５】
ここで使用される、プロセッサ５０２は、マイクロ・プロセッサ(microprocessor)と、マイクロ制御機(micro controller)と、複合命令語集合コンピュータマイクロ・プロセッサ(complex instruction set computing microprocessor)と、縮小命令語集合コンピュータマイクロ・プロセッサ(reduced instruction set computing microprocessor)と、長い命令語ワードマイクロ・プロセッサ(very long instruction word microprocessor)と、明白な並列命令語コンピュータマイクロ・プロセッサ(explicitly parallel instruction computing microprocessor)と、グラフィックプロセッサ(graphics processor)と、デジタル信号プロセッサ(digital signal processor)、あるいは所定タイプのプロセシング回路(processing circuit)のような、それにしてもそれらに限定されない任意のタイプのコンピュータ回路を意味する。また、プロセッサ５０２は、一般論理デバイス、あるいはプログラム可能論理デバイスと、あるいはアレイ(array)と、アプリケーション型半導体(application specific integrated circuit)と、単一チップコンピュータ(single-chip computer)と、スマートカード(smart card)などのような挿入された制御機を含むことができる。
【００２６】
メモリ５０４は、揮発性メモリ(volatile memory)及び不揮発性メモリ(non-volatile memory)であり得る。メモリ５０４は、本発明の実施形態によって、ＵＥ１０４でログされた完全なＭＤＴ測定情報５２０を基地局１０２に提供するためにメモリ５０４に記録される命令(instruction)の形態でＭＤＴログモジュール１０８を含む。多様なコンピュータ判読可能記録媒体(computer-readable storage media)が上記メモリエレメント(memory element）に記録されることができ、上記メモリエレメントからアクセスされることができる。メモリエレメントは、読み取り専用メモリと、ランダムアクセスメモリ(random access memory)と、消去可能プログラム可能読み取り専用メモリ(erasable programmable read only memory)と、電気的消去可能プログラム可能読み取り専用メモリ(electrically erasable programmable read only memory)と、ハードドライブ(hard drive)と、メモリカード(memory card)を処理する除去可能メディアドライブ(removable media drive)と、メモリスティック(Memory Stick)ＴＭのようなデータ及びマシン判読可能命令(machine-readable instruction)を記録する、いずれの適合したメモリデバイスでも含むことができる。
【００２７】
本発明の多様な実施形態らは、タスク(task)を遂行するか、要約データタイプあるいはロウレベル（low-level）ハードウェアコンテクスト(hardware context)を定義するための、関数と、手順と、データ構造と、アプリケーションプログラム(application program)を含むモジュールと共に具現され得る。上述したような記録媒体に記録されたマシン判読可能命令語らは、プロセッサ５０２により実行され得る。例えば、本発明の教示及び本発明の上述したような実施形態らによって、コンピュータプログラムは完全なＭＤＴ測定情報５２０を基地局１０２に提供することができるマシン判読可能命令語を含むことができる。一実施形態で、上記コンピュータプログラムは、記録媒体上に含まれることができ、上記記録媒体から不揮発性メモリのハードドライブにロードされることができる。
【００２８】
送受信機５０８と、通信インターフェース５１２と、ディスプレイ５１４と、入力デバイス５１６と、カーソル制御５１８のようなコンポーネントは、当該技術分野における通常の知識を持つ者には明らかであるので、その説明は省略する。
【００２９】
以上、本発明を具体的な実施形態を参照して詳細に説明してきたが、本発明の範囲及び趣旨を逸脱することなく様々な変更が可能であるということは、当業者には明らかであり、本発明の範囲は、上述の実施形態に限定されるべきではなく、特許請求の範囲の記載及びこれと均等なものの範囲内で定められるべきである。
【００３０】
また、ここで説明される、上記多様なデバイスと、モジュール(module)と、選択器と、推定器などは、ハードウェア(hardware)回路、例えば相補性金属酸化膜半導体(complementary metal oxide semiconductor)基盤論理回路と、ファームウエアと、ソフトウェア及び／あるいはハードウェアと、ファームウエア及び／あるいはマシン判読可能媒体に挿入されたソフトウェアの組合のようなハードウェア回路を使用して可能となり、動作されることができる。例えば、上記多様な電気構造及び方法は、トランジスタ(transistor)と、論理ゲート(logic gate)と、アプリケーション型半導体(application specific integrated circuit)のような電気回路を使用して実施されることができる。
【符号の説明】
【００３１】
１００  無線通信システム
１０２  基地局
１０４  ネットワーク
１０６  ユーザ端末機
１０８  ＭＤＴログモジュール
５０２  プロセッサ
５０４  メモリ
５０６  ＲＯＭ
５０８  送受信器
５１０  通信インターフェース
５１２  バス
５１４  ディスプレイ
５１６  入力デバイス
５１８  カーソル制御
５２０  ＭＤＴ判定情報
【図１】
0005863199.tif 000002
【図２】
0005863199.tif 000003
【図３】
0005863199.tif 000004
【図４】
0005863199.tif 000005
【図５】
0005863199.tif 000006